(57)【特許請求の範囲】
【請求項１】
発光モジュールと、
表面に前記発光モジュールが配置される基台と、
透光性を有し、前記発光モジュールを覆うよう設けられているカバー部材と、
前記基台の裏面側に配置され、前記発光モジュールを制御する制御部と、
第１偏波を受送信する第１アンテナ部と、
前記制御部と前記第１アンテナ部とを電気的に接続する制御線とを備え、
前記制御線は、前記第１偏波と偏波方向が異なる第２偏波を受送信する露出部を有し、
前記露出部は、当該制御線の長手方向の一部が前記基台と前記カバー部材との間に配置されている
照明器具。
【請求項２】
前記制御線は、複数本の配線からなり
前記露出部は、前記第２偏波を受送信する第２アンテナ部を有し、
第２アンテナ部は、前記制御線のグランド線で構成されている
請求項１記載の照明器具。
【請求項３】
前記第２アンテナ部は、前記基台から離間している
請求項２記載の照明器具。
【請求項４】
前記第１アンテナ部は、垂直面に延在し、
前記第２アンテナ部は、直線状であり、
前記第２アンテナ部は、前記第１アンテナ部と略直交するように延在している
請求項２又は３記載の照明器具。
【請求項５】
前記第１アンテナ部は、前記基台の表面側から裏面側を跨ぐように配置され、
前記基台には、前記制御線を挿通する第１挿通孔が形成され、
前記露出部の一端側は、前記第１挿通孔を介して前記制御部に電気的に接続し、
前記露出部の他端側は、前記第１アンテナ部に電気的に接続している
請求項１〜４のいずれか１項に記載の照明器具。
【請求項６】
前記基台には、さらに、前記制御線を挿通する第２挿通孔が前記第１挿通孔と長手方向に並ぶように形成され、
前記露出部の他端側は、前記第２挿通孔を介して前記第１アンテナ部に電気的に接続している
請求項５記載の照明器具。
【請求項７】
前記基台は、光源を実装している配線基板を支持し、
前記基台の表面には、前記配線基板を収容するように凹む凹部が設けられ、
前記露出部は、前記光源と前記凹部を除く前記基台の表面とを結ぶ直線上に存在しない
請求項１〜６のいずれか１項に記載の照明器具。
【請求項８】
前記基台には、前記配線基板を収容するように凹む凹部が設けられ、
前記露出部は、前記凹部内に配置されている
請求項７記載の照明器具。
【請求項９】
前記基台は、長尺であり、
前記制御線は、前記基台に沿って延在している
請求項１〜８のいずれか１項に記載の照明器具。
【請求項１０】
請求項１〜９のいずれか１項に記載の照明器具を複数備え、
複数の当該照明器具を制御可能な端末装置を備える
照明システム。
【請求項１１】
発光モジュールと、
表面に前記発光モジュールが配置される基台と、
透光性を有し、前記発光モジュールを覆うよう設けられているカバー部材と、
前記基台の裏面側に配置され、前記発光モジュールを制御する制御部と、
第１偏波を受送信する第１アンテナ部と、
前記制御部と前記第１アンテナ部とを接続する制御線とを備え、
前記制御線は、前記第１偏波と偏波方向が異なる第２偏波を受送信するように、当該制御線の長手方向の一部が前記基台と前記カバー部材との間に配置されている露出部を有し、
前記第１アンテナ部は、前記基台の表面側から裏面側を跨ぐように配置され、
前記基台には、前記制御線を挿通する第１挿通孔が形成され、
前記露出部の一端側は、前記第１挿通孔を介して前記制御部に電気的に接続し、
前記露出部の他端側は、前記第１アンテナ部に電気的に接続している
照明器具。
【請求項１２】
発光モジュールと、
表面に前記発光モジュールが配置される基台と、
透光性を有し、前記発光モジュールを覆うよう設けられているカバー部材と、
前記基台の裏面側に配置され、前記発光モジュールを制御する制御部と、
第１偏波を受送信する第１アンテナ部と、
前記制御部と前記第１アンテナ部とを接続する制御線とを備え、
前記制御線は、前記第１偏波と偏波方向が異なる第２偏波を受送信するように、当該制御線の長手方向の一部が前記基台と前記カバー部材との間に配置されている露出部を有し、
前記基台は、光源を実装している配線基板を支持し、
前記基台の表面には、前記配線基板を収容するように凹む凹部が設けられ、
前記露出部は、前記光源と前記凹部を除く前記基台の表面とを結ぶ直線上に存在しない
照明器具。
【発明の詳細な説明】
【技術分野】
【０００１】
本発明は、無線通信を行って照明機能に応じた制御が可能な照明器具及び照明システムに関する。
【背景技術】
【０００２】
従来、光を照射する光源と、光源を覆うように形成されているカバー部材と、第１アンテナ部の一例である、無線通信を行うパターンアンテナと、制御部の一例である、無線通信制御部と、制御線の一例であるリード線とを備えた照明器具が知られている（例えば特許文献１参照）。
【先行技術文献】
【特許文献】
【０００３】
【特許文献１】特開２０１４−１６７８７８号公報
【発明の概要】
【発明が解決しようとする課題】
【０００４】
しかしながら、特許文献１に記載された照明器具では、より通信性能を向上させたいという要望がある。
【０００５】
本発明は、制御線をアンテナとして用いることで、利得の向上による通信性能の向上を図ることができる照明器具及び照明システムを提供することを目的とする。
【課題を解決するための手段】
【０００６】
本発明の一態様に係る照明器具は、発光モジュールと、表面に前記発光モジュールが配置される基台と、透光性を有し、前記発光モジュールを覆うよう設けられているカバー部材と、前記基台の裏面側に配置され、前記発光モジュールを制御する制御部と、第１偏波を受送信する第１アンテナ部と、前記制御部と前記第１アンテナ部とを接続する制御線とを備え、前記制御線は、前記第１偏波と偏波方向が異なる第２偏波を受送信するように、当該制御線の長手方向の一部が前記基台と前記カバー部材との間に配置されている露出部を有している。
【０００７】
また、本発明の一態様に係る照明システムは、照明器具を複数備え、複数の当該照明器具を制御可能な端末装置を備える。
【発明の効果】
【０００８】
本発明の一態様に係る照明器具及び照明システムによれば、制御線をアンテナとして用いることで、利得の向上による通信性能の向上を図ることができる。
【図面の簡単な説明】
【０００９】
【図１】実施の形態に係る照明器具の斜視図である。
【図２】実施の形態に係る照明器具の分解斜視図である。
【図３】実施の形態に係る照明器具のカバー部材を取り除いた状態の部分拡大斜視図である。
【図４】図５のＩＶ−ＩＶ線における実施の形態に係る照明器具のカバー部材を取り除いた状態の断面図である。
【図５】図１のＶ−Ｖ線における実施の形態に係る照明器具の部分断面図である。
【図６】実施の形態に係る照明器具の発光モジュール、制御部、第１アンテナ部、制御線等を示す正面図である。
【図７】実施の形態に係る照明器具における第１アンテナ部及び第２アンテナ部の平均利得と、第２アンテナ部から基台までの距離との関係を示すグラフである。
【図８】実施の形態に係る照明器具における第１アンテナ部及び第２アンテナ部の指向性を示す図である。
【図９】実施の形態に係る照明器具における第１アンテナ部及び第２アンテナ部の指向性を示す図である。
【図１０】図１０の（ａ）は、本実施の形態において照明器具における第１アンテナ部及び第２アンテナ部の放射強度を示す斜視図である。図１０の（ｂ）は、実施の形態において照明器具における第１アンテナ部及び第２アンテナ部の放射強度を示す部分拡大斜視図である。
【図１１】比較例に係る照明器具の部分断面図である。
【図１２】図１２の（ａ）は、比較例において照明器具における第１アンテナ部の放射強度を示す図である。図１２の（ｂ）は、比較例において照明器具における第１アンテナ部の放射強度を示す図である。
【図１３】実施の形態の変形例１に係る照明器具のカバー部材を取り除いた状態の断面図である。
【図１４】実施の形態の変形例２に係る照明器具を用いた照明システムに係る模式図である。
【発明を実施するための形態】
【００１０】
（本発明の基礎となった知見）
照明器具において、通常、第１アンテナ部等のアンテナは、照明器具という性質上、意匠性や配光性の観点から、視認し難い位置又は視認できない位置に配置される。この第１アンテナ部においては、通信性能を確保するために、カバー部材と、光源を実装している配線基板を固定している基台（ライトバー）との間の端側に配置されていることが好ましい。
【００１１】
また、基台の交換時の作業性の観点から、制御部は、通常、光源とは反対側で照明器具に収容され、基台の中央付近に配置されている。
【００１２】
このような構造をなした照明器具では、基台の端側に配置されている第１アンテナ部と第１アンテナ部を制御する制御部とを接続する制御線を、第１アンテナ部から制御部まで配置する必要がある。この制御線は、電源線、信号線及びグランド線を有し、第１アンテナ部から電波が放射されると同時に、制御線からも電波が放射される。
【００１３】
通常、照明器具において、第１アンテナ部と制御部とを接続する制御線は、筐体に収容されているため、基台から露出するように設けられていない。つまり、制御線をアンテナとして使用する場合には、基台が障害となり、基台及び筐体等の隙間を介して通信を行うため、十分な通信性能を確保することができない。特に、基台が金属製であれば、制御線をアンテナとして使用し難くなる。
【００１４】
そこで、本発明では、制御線をアンテナとして用いることで、利得の向上による通信性能の向上を図ることができる照明器具及び照明システムを提供する。
【００１５】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
なお、各図は、模式図であり、必ずしも厳密に図示されたものではない。また、各図において、実質的に同一の構成に対しては同一の符号を付しており、重複する説明は省略又は簡略化する。
【００１７】
（実施の形態）
以下、本実施の形態に係る照明器具の構成について、図１〜図６を用いて説明する。
【００１８】
［構成］
図１は、実施の形態に係る照明器具１の斜視図である。図２は、実施の形態に係る照明器具１の分解斜視図である。図３は、実施の形態に係る照明器具１のカバー部材３を取り除いた状態の部分拡大斜視図である。図４は、図５のＩＶ−ＩＶ線における本実施の形態に係る照明器具１のカバー部材３を取り除いた状態の断面図である。図５は、図１のＶ−Ｖ線における実施の形態に係る照明器具１の部分断面図である。図６は、実施の形態に係る照明器具１の発光モジュール６０、制御部４３、第１アンテナ部４５ａ、制御線４７等を示す正面図である。
【００１９】
図１では、照明器具の第１アンテナ部側を左方向と規定し、その反対側を右方向と規定し、前後、左右及び上下の各方向を表示する。そして、図１以降の各図に示す各方向は、全て図２以降に示す各方向に対応させて表示する。なお、図１では、上下方向、左右方向及び前後方向は、使用者の使用態様によって変化するため、これには限定されない。図１以降の各図においても、同様である。また、本実施の形態の左右方向は、長手方向の一例である。
【００２０】
図１に示すように、照明器具１は、長尺状をなしたＬＥＤランプであり、例えば、ねじ等の固定部材によって天井に固定した状態で使用する。
【００２１】
照明器具１は、器具本体２と、カバー部材３とを有している。器具本体２は、照明器具１のベースとなる部材である。器具本体２は、筐体２１と、照明装置５とを有している。
【００２２】
筐体２１は、長尺状をなし、上下方向及び前後方向で規定される平面を断面視した場合に、略左右対称の台形状をなしている。筐体２１は、筐体２１の下面から上方に向かって凹む収容部２１ａが形成されている。収容部２１ａは、左右方向に延在する溝である。収容部２１ａには、照明装置５において後述する、制御部４３、基台４１、発光モジュール６０、制御線４７等が収容されている。収容部２１ａの底面から、制御部４３、基台４１、発光モジュール６０、カバー部材３の順で、下方向に向かって並ぶように配置されている。発光モジュール６０及び基台４１は、ライトバーである。
【００２３】
照明装置５は、照明装置本体４０と、発光モジュール６０とを有している。
【００２４】
照明装置本体４０は、基台４１と、制御部４３と、無線モジュール４５と、制御線４７とを有している。
【００２５】
基台４１は、セラミック製、金属フィラーを混合した樹脂、アルミニウム、鉄等の金属で構成された、左右方向に長尺なフレームである。本実施の形態の基台４１では、発光モジュール６０の熱を放熱させるために、鉄等の金属製を使用している。この場合、例えば、基台４１は、ＳＰＣＣ（Ｓｔｅｅｌ  Ｐｌａｔｅ  Ｃｏｌｄ  Ｃｏｍｍｅｒｃｉａｌ；冷間圧延鋼板）製の板金（金属板）にロール成形加工又はプレス加工等を施すことにより所定の形状に形成されている。なお、基台４１は、必ずしも金属だけで構成されている基台に限らず、金属以外の材料を用いて形成されていてもよい。
【００２６】
基台４１は、前後方向に一対をなす段差部が左右方向に沿って形成されており、この一対の段差部４１ｄ、４１ｄによって凹部４２が形成される。つまり、凹部４２は、基台４１の表面（下面）から筐体２１の底面（上方向）に向かって凹んでいる。一対の段差部４１ｄ、４１ｄは、下方に突出する突状物である。また、凹部４２は、発光モジュール６０の配線基板６１を載置することが可能なように左右方向に延在している。基台４１の表面である凹部４２には、発光モジュール６０が載置される。基台４１に発光モジュール６０の配線基板６１を載置し、配線基板６１を基台４１に固定することで、配線基板６１は基台４１に支持される。
【００２７】
一対の段差部４１ｄ、４１ｄは、凹部４２に発光モジュール６０を設置した際に、光源６２の光軸Ｘ１と略直交する方向に存在していないことが好ましい。一対の段差部４１ｄ、４１ｄが光源６２の光軸Ｘ１と略直交する方向に存在していれば、一対の段差部４１ｄ、４１ｄにより影が出来てしまう。このため、一対の段差部４１ｄ、４１ｄは、光軸Ｘ１と略直交する方向に向かう光を妨げないように設けられていることが好ましい。
【００２８】
図３に示すように、基台４１には、制御線４７を挿通することが可能な第１挿通孔４１ａ及び第２挿通孔４１ｂが形成されている。第１挿通孔４１ａ及び第２挿通孔４１ｂは、基台４１の左側で、左右方向に並んでいる。また、第１挿通孔４１ａは、第２挿通孔４１ｂの右側に位置している。さらに、第１挿通孔４１ａ及び第２挿通孔４１ｂは、凹部４２に発光モジュール６０の配線基板６１を載置した状態において、配線基板６１の外周面よりも外側に配置されている。つまり、第１挿通孔４１ａ及び第２挿通孔４１ｂは、凹部４２に発光モジュール６０の配線基板６１を載置した状態を正面視した場合に、発光モジュール６０の配線基板６１と重なっていない（覆いかぶさっていない）。
【００２９】
また、第１挿通孔４１ａ及び第２挿通孔４１ｂの内径は、制御線４７の外径よりも少し大きい。つまり、第１挿通孔４１ａ及び第２挿通孔４１ｂの内径は、第１挿通孔４１ａ及び第２挿通孔４１ｂを挿通した制御線４７がぐらつかない程度の大きさである。
【００３０】
図２に示すように、基台４１は、筐体２１に着脱可能に取り付けられている。基台４１は、前方向に突出する２つの係合部４１ｃを有している。基台４１と筐体２１とは、筐体２１の収容部２１ａ内に形成された２つの切り欠き部に２つの係合部４１ｃが一対一で係合することで固定される。なお、基台４１と筐体２１とは、例えば、ねじ等の固定部材によって固定されていてもよい。
【００３１】
また、器具本体２の筐体２１には延設された電線の端部にコネクタが設けられており、照明装置５には延設された電線の端部にコネクタが設けられている。器具本体２のコネクタと照明装置５のコネクタとが嵌め合わされることで、器具本体２から照明装置５に、照明装置５の発光に必要な電力が供給される。
【００３２】
制御部４３は、基台４１の裏面（上面）と、収容部２１ａの底部との間に配置されている。制御部４３は、基台４１の左右方向における中央部分付近に配置されている。制御部４３は、使用者からの指示（リモコン等を介した制御信号）に従って、発光モジュール６０の点灯、消灯、調光（明るさの調整）、および調色（発光色（色温度）の調整）等の動作を制御する。制御部４３は、例えば、入力された信号に応じて発光モジュール６０に供給する電流値等を制御するマイクロコンピュータ、プロセッサ、または専用回路によってこれらの動作を実現する。
【００３３】
無線モジュール４５は、平板状をなして上下方向及び前後方向で規定される平面と略平行となるように設けられている。具体的には、無線モジュール４５の第１アンテナ部４５ａは、地表面に対して略直交する方向（垂直面）に延在しているため、垂直偏波（第１偏波の一例）を受送信することが可能なパターンアンテナとして機能する。なお、本実施の形態では、垂直面は、基台４１の下面に対しても垂直である。また、第１アンテナ部４５ａは、基台４１に対しても略垂直である。第１アンテナ部４５ａは、垂直偏波の搬送波を送信可能なアンテナである。無線モジュール４５は、基台４１の左端側に取り付けられている。無線モジュール４５の第１アンテナ部４５ａは、カバー部材３と基台４１との間に設けられている。言い換えれば、無線モジュール４５は基台４１を跨ぐ（貫通する）ように配置され、無線モジュール４５の第１アンテナ部４５ａは基台４１から露出するように配置され、他の部分は筐体２１と基台４１との間の収容部２１ａに配置されている。
【００３４】
無線モジュール４５は、リモコン等の外部の端末装置を介した制御信号を受信したり、発光モジュール６０を制御するためのプログラムの要求を送信したりする。なお、無線モジュール４５は、例えば、インターネットを通じてプログラム配信サーバと通信するための通信モジュールであってもよい。また、無線モジュール４５と、プログラム配信サーバとの間には、実際には、モデムや、ルータ、中継サーバなどの通信装置が存在してもよい。
【００３５】
なお、制御部４３には、記憶部が接続されていてもよい。記憶部は、無線モジュール４５が受信したプログラムが記憶される、書き換え可能な（不揮発性の）記憶装置であってもよい。記憶部としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。なお、記憶部は、制御部４３内に設けられてもよい。
【００３６】
制御線４７は、銅などの金属線をゴム等の絶縁性のある被覆体で覆われている電源線１４８ａ、信号線１４８ｂ及びグランド線１４７（複数本の配線）を有し、左右方向に延在して無線モジュール４５と制御部４３とを電気的に接続している配線である。制御線４７は、基台４１に沿って延在している。図５に示すように、制御線４７は、第１制御線４７ａ、第２制御線４７ｂ、第３制御線４７ｃ、第４制御線４７ｄ及び第５制御線４７ｅを有し、第１〜５制御線４７ａ〜４７ｅの順番で連続している。
【００３７】
第１制御線４７ａは、左右方向に延在している。第１制御線４７ａの右端は、コネクタを介して制御部４３の左端と接続している。第２制御線４７ｂは、第１制御線４７ａの左端から、第１制御線４７ａに対して略垂直に屈曲して下方向に延在している。つまり、第２制御線４７ｂは、左右方向に延在する第１制御線４７ａに対して略垂直な上下方向に延在する。また、第２制御線４７ｂは第１挿通孔４１ａを挿通し、第２制御線４７ｂの一部は基台４１とカバー部材３との間に設けられている。言い換えれば、第２制御線４７ｂは基台４１を跨ぐように配置され、第２制御線４７ｂの一部は基台４１から露出している。第３制御線４７ｃは、第２制御線４７ｂの下端から左方向に（無線モジュール４５側に向かって）延在している。つまり、第３制御線４７ｃは、上下方向に延在する第２制御線４７ｂに対して略垂直な左右方向に延在し、第１制御線４７ａと略平行な関係にある。第４制御線４７ｄは、第３制御線４７ｃの左端から、第３制御線４７ｃに対して略垂直に屈曲して上方向に延在している。つまり、第４制御線４７ｄは、左右方向に延在する第３制御線４７ｃに対して略垂直な上下方向に延在し、第２制御線４７ｂと略平行な関係にある。また、第４制御線４７ｄの一部は、第２挿通孔４１ｂを挿通し、基台４１とカバー部材３との間に設けられている。言い換えれば、第４制御線４７ｄは基台４１を跨ぐように配置され、第４制御線４７ｄの一部は基台４１から露出している。第５制御線４７ｅは、第４制御線４７ｄの上端から、左方向に延在し、その左端がコネクタを介して無線モジュール４５と接続している。第２制御線４７ｂの一部（基台４１とカバー部材３との間）、第３制御線４７ｃ及び第４制御線４７ｄの一部（基台４１とカバー部材３との間）は、露出部４８の一例である。また、露出部４８の右端側（一端側）は、第２制御線４７ｂの一部（基台４１とカバー部材３との間）であり、露出部４８の右側である。さらに、露出部４８の左端側（他端側）は、第４制御線４７ｄの一部（基台４１とカバー部材３との間）であり、露出部４８の左側である。つまり、露出部４８の右端側は、第１挿通孔４１ａを介して制御部４３に接続されている。また、露出部４８は、第２挿通孔４１ｂを介して無線モジュール４５に接続されている。
【００３８】
第３制御線４７ｃは、直線状である。また、第３制御線４７ｃ（後述する第２アンテナ部１４７ｃ）は、無線モジュール４５の第１アンテナ部４５ａと略直交するように延在している。言い換えれば、左右方向に延在する第３制御線４７ｃは、上下方向及び前後方向で規定される平面に対して略直交している。具体的には、第３制御線４７ｃのグランド線１４７は、制御部４３とは反対側が接地されている。また、第３制御線４７ｃのグランド線１４７は、半波長の長さで地表面に対して水平な左右方向に延在している。このため、第３制御線４７ｃのグランド線１４７は、垂直偏波と偏波方向が異なっている水平偏波（第２偏波の一例）を受送信することが可能なダイポールアンテナのように機能する。つまり、第３制御線４７ｃのグランド線１４７が第２アンテナ部１４７ｃである。このように、第１アンテナ部４５ａと第２アンテナ部１４７ｃとにより、ダイバーシティーアンテナが形成される。なお、制御線４７をアンテナとして用いるとは、制御線４７の第３制御線４７ｃにおけるグランド線１４７を意味し、制御線４７全てをアンテナとして用いている意味ではない。
【００３９】
図４に示すように、第３制御線４７ｃは、上述より、電源線１４８ａ、信号線１４８ｂ及びグランド線１４７から構成されている。第３制御線４７ｃのグランド線１４７は、第２アンテナ部１４７ｃを有している。第２アンテナ部１４７ｃは、被覆体で覆われている金属線であり、基台４１と接触しないように配置されている。つまり、第３制御線４７ｃの第２アンテナ部１４７ｃは、基台４１から離間し、基台４１における凹部４２の底面と略平行となるように設けられている。なお、第３制御線４７ｃは、基台４１と接触していてもよく、接触していなくてもよい。また、第３制御線４７ｃの上方には基台４１が存在していることが好ましい。言い換えれば、第１挿通孔４１ａと第２挿通孔４１ｂとが連続した長孔でないことが好ましい。
【００４０】
また、露出部４８は、後述する光源６２からの光を妨げないように、凹部４２内に収容するように設けられている。つまり、露出部４８は、凹部４２と配線基板６１との間に配置され、光源６２と凹部４２を除く基台４１の表面とを結ぶ直線上に存在しない。凹部４２を除く基台４１の表面とは、基台４１の光源６２が配置されている側の面であり、凹部４２以外の基台４１の表面である。
【００４１】
図６に示すように、発光モジュール６０は、ＬＥＤ電源線６４を介して制御部４３に電気的に接続されている。発光モジュール６０は、長尺な板状をなし、複数の光源６２と、光源６２を実装する配線基板６１とを有し、調光制御および調色制御が可能なモジュールである。本実施の形態では、３つの配線基板６１のそれぞれに８つの光源６２が一列に設けられている。配線基板６１は、直線となるように左右方向に１列に並んでいる。中央の配線基板６１は、その右端が一方の配線基板６１の左端と電気的に接続され、その左端が他方の配線基板６１の右端と電気的に接続されている。
【００４２】
光源６２は、配線基板６１上に一列に並ぶように実装されている。光源６２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。光源６２は、照明装置５に設けられている制御回路により制御されて点灯及び消灯を行う。また、各光源６２は、制御回路が電源装置を制御して調光及び調色が行われる。
【００４３】
配線基板６１は、複数の光源６２を実装するための実装基板であって、例えばセラミックス基板、樹脂基板又は絶縁被覆されたメタルベース基板などである。また、配線基板６１は、例えば平面視において矩形状である平面を有する板状である。なお、配線基板６１には、光源６２を発光させるための直流電力を外部から受電するための一対の電極端子（正電極端子及び負電極端子）が形成されている。
【００４４】
制御部４３には、光源６２を発光させるための電力を供給する電源装置が内蔵されている。電源装置は、電力を生成する電源回路によって構成されている。電源装置は、プリント配線基板等の回路基板と、回路基板に実装された複数の電子部品とによって構成されている。電源装置は、例えば、商用電源等の外部電源（図６ではＡＣ）からの交流電力を、整流、平滑及び降圧等して所定レベルの直流電力に変換し、直流電力を発光モジュール６０に供給する。
【００４５】
なお、電源装置は、制御部４３に内蔵されていなく、基台４１の上側（基台４１と筐体２１との間）に配置されてもよい。つまり、電源装置は、制御部４３に電気的に接続されて、筐体２１の収容部２１ａに収容されていてもよい。電源装置と配線基板６１とは、基台４１を介して隔てられている。電源装置は、例えば、コネクタを介して光源６２と電気的に接続される。コネクタは、発光モジュール６０（配線基板６１及び光源６２）に給電するための基板用コネクタである。
【００４６】
カバー部材３は、発光モジュール６０を覆う部材であり、発光モジュール６０から発せられた光を透過させる透光性の部材である。カバー部材３は、例えば、アクリルやポリカーボネート等の透光性樹脂材料又は透明なガラス材料等の透光性を有する材料で形成される。また、本実施の形態では、カバー部材３は、発光モジュール６０から発せられた光を拡散する機能も有している。例えば、シリカもしくは炭酸カルシウムなどの光拡散材（微粒子）を含有する樹脂または白色顔料を、カバー部材３の内面または外面に付着させることで、乳白色の光拡散膜がカバー部材３に形成される。また、カバー部材３そのものが、光拡散材が分散された樹脂材料等を用いて成形されてもよい。
【００４７】
なお、光を拡散するカバー部材３としては、内部に光拡散材を分散させるのではなく、透明カバーの内面又は外面に光拡散材等を含む乳白色の光拡散膜を形成することによって構成されていてもよい。また、光を拡散するカバー部材３は、光拡散材を用いるのではなく、拡散加工を施すことによって光拡散性を有するように構成されていてもよい。例えば、シボ加工等の表面処理を施すことによって透明パネルの内面又は外面に微小凹凸を形成したり、透明カバーの内面又は外面にドットパターンを印刷したりすることによって光拡散性を有するように構成してもよい。なお、拡散加工する場合であっても、光拡散性を高めるために、さらに光拡散材を含有させてもよい。
【００４８】
なお、カバー部材３が光を拡散する機能を有することは必須ではなく、カバー部材３は、カバー部材３の外部から内部を視認可能な程度に透明であってもよい。
【００４９】
このような構成の照明器具１では、ユーザがリモコン等の端末装置を用いて操作すれば、第１アンテナ部４５ａ及び第２アンテナ部１４７ｃを介して制御部４３が発光モジュール６０への電流の出力をオン・オフすることによって点灯・消灯がなされる。
【００５０】
また、この照明器具１は、発光モジュール６０の調光および調色機能に対応している。調光機能は、制御部４３が発光モジュール６０への電流の出力を増減させることにより実現される。また、調色機能は、制御部４３が発光モジュール６０に含まれる光源６２それぞれに対する供給電流のバランスを変更することで実現される。なお、制御部４３の発光モジュール６０への供給電流の増減は、例えば、ＰＷＭ制御などにより行われる。
【００５１】
このような構成の照明器具１において、制御線４７を用いた第２アンテナ部１４７ｃ（第３制御線４７ｃ）の利得を測定した結果について説明する。
【００５２】
図７は、本実施の形態に係る照明器具１における第１アンテナ部４５ａ及び第２アンテナ部１４７ｃの平均利得と、第２アンテナ部１４７ｃから基台４１までの距離との関係を示すグラフである。
【００５３】
図７において、実線は第１アンテナ部４５ａの平均利得（ｄＢｉ）を示し、破線は第２アンテナ部１４７ｃの平均利得を示している。また、第３制御線４７ｃから基台４１までの距離（ｍｍ）とは、第３制御線４７ｃの上端から基台４１の凹部４２における底面までの最短距離を意味している。
【００５４】
第１アンテナ部４５ａの平均利得は、最小値から最大値までで約３ｄＢ増加している。また、第２アンテナ部１４７ｃの平均利得は、最小値から最大値までで６ｄＢ以上増加している。
【００５５】
これにより、第３制御線４７ｃを用いた第２アンテナ部１４７ｃを基台４１から露出させると、第１アンテナ部４５ａの平均利得も上昇することが判った。
【００５６】
また、図８及び図９は、本実施の形態に係る照明器具１における第１アンテナ部４５ａ及び第２アンテナ部１４７ｃの指向性を示す図である。図８は、第３制御線４７ｃから基台４１までの距離が０ｍｍの場合についての第１アンテナ部４５ａ及び第２アンテナ部１４７ｃの指向性を示している。図９は、第３制御線４７ｃから基台４１までの距離が１０ｍｍの場合についての第１アンテナ部４５ａ及び第２アンテナ部１４７ｃの指向性を示している。図８及び図９において、実線は第１アンテナ部４５ａの平均利得を示し、破線は第２アンテナ部１４７ｃの平均利得を示している。
【００５７】
図８に示すように、第１アンテナ部４５ａの平均利得は−１５．３１（ｄＢｉ）であり、第２アンテナ部１４７ｃの平均利得は−２６．６７（ｄＢｉ）である。
【００５８】
図９に示すように、第１アンテナ部４５ａの平均利得は−１４．３７（ｄＢｉ）であり、第２アンテナ部１４７ｃの平均利得は−２０．１４（ｄＢｉ）である。
【００５９】
この結果から、この照明器具１では、第３制御線４７ｃから基台４１までの距離が大きくなると利得の上昇が見込まれることが測定結果で判った。このため、この照明器具１では、第３制御線４７ｃから基台４１までの距離が約１０ｍｍで最もよい平均利得を得ることができた。
【００６０】
さらに、図１０の（ａ）は、本実施の形態において照明器具１における第１アンテナ部４５ａ及び第２アンテナ部１４７ｃの放射強度を示す斜視図である。図１０の（ｂ）は、本実施の形態において照明器具１における第１アンテナ部４５ａ及び第２アンテナ部１４７ｃの放射強度を示す部分拡大斜視図である。
【００６１】
図１０の（ａ）及び図１０の（ｂ）において、黒くなるほど放射強度が大きく、白くなるほど放射強度が小さいことを表している。図１０の（ａ）及び図１０の（ｂ）から、無線モジュール４５の第１アンテナ部４５ａ及び第３制御線４７ｃの第２アンテナ部１４７ｃから放射される電波の放射強度が大きいことが判る。
【００６２】
［比較例］
図１１は、比較例に係る照明器具の部分断面図である。図１１は、比較例に係る照明器具において、図１のＶ−Ｖ線と同様の状態の断面図である。
【００６３】
図１１に示すように、比較例の照明器具１は、無線モジュール４５と制御部４３とを電気的に接続している制御線４７が基台４１から露出していない。つまり、本実施の形態のように、制御線４７が基台４１とカバー部材３との間に設けられていない（本実施の形態のような露出部４８が存在しない）。
【００６４】
図１２の（ａ）は、比較例において照明器具における第１アンテナ部の放射強度を示す斜視図である。図１２の（ｂ）は、比較例において照明器具における第１アンテナ部の放射強度を示す部分拡大斜視図である。
【００６５】
図１２の（ａ）及び図１２の（ｂ）においても、黒くなるほど放射強度が大きく、白くなるほど放射強度が小さいことを表している。
【００６６】
図１２の（ａ）及び図１２の（ｂ）から、無線モジュール４５の第１アンテナ部４５ａから放射される電波の放射強度が大きいことが判る。また、基台４１と筐体２１と隙間から電波が放射されているのが判る。比較例の図１２の（ａ）及び図１２の（ｂ）と本実施の形態の図１０の（ａ）及び図１０の（ｂ）とを比べると、制御線４７から放射された電波が基台４１によって抑制されていることが判る。なお、図１０の（ａ）及び図１２の（ａ）において、左右方向において、略等間隔に放射強度が高まっている部分が存在するが、これは、制御線４７が半波長ごとに電波を照射しているためである。
【００６７】
［作用効果］
次に、本実施の形態おける照明器具１の作用効果について説明する。
【００６８】
上述したように、本実施の形態に係る照明器具１は、発光モジュール６０と、表面（下面）に発光モジュール６０が配置される基台４１と、透光性を有し、発光モジュール６０を覆うよう設けられているカバー部材３と、基台４１の裏面（上面）側に配置され、発光モジュール６０を制御する制御部４３と、垂直偏波を受送信する第１アンテナ部４５ａと、制御部４３と第１アンテナ部４５ａとを接続する制御線４７とを備えている。そして、制御線４７は、垂直偏波と偏波方向が異なる水平偏波を受送信するように、当該制御線４７の左右方向の一部が基台４１とカバー部材３との間に配置されている露出部４８を有している。
【００６９】
この構成によれば、露出部４８が基台４１とカバー部材３との間で基台４１から露出しているため、基台４１が制御線４７から放射する電波を妨げ難い。このため、露出部４８における第２アンテナ部１４７ｃの放射強度を確保することができる。
【００７０】
したがって、制御線４７の一部を第２アンテナ部１４７ｃとして用いることで、利得の向上による通信性能の向上を図ることができる。
【００７１】
上述したように、本実施の形態に係る照明システムは、照明器具１を複数備えている。照明システムは、複数の当該照明器具１を制御可能な端末装置１０１を備えている。
【００７２】
この構成においても、上述の照明器具１と同様の作用効果を奏する。
【００７３】
また、本実施の形態に係る照明器具１において、制御線４７は、複数本の配線からなる。また、露出部４８は、水平偏波を受送信する第２アンテナ部１４７ｃを有している。そして、第２アンテナ部１４７ｃは、制御線４７のグランド線１４７で構成されている。
【００７４】
この構成によれば、制御線４７におけるグランド線１４７は、制御部４３の反対側が接地されている。このため、露出部４８における第３制御線４７ｃのグランド線１４７をダイポールアンテナのように用いることができる。このため、第３制御線４７ｃのグランド線１４７を第２アンテナ部１４７ｃとして用いることができる。
【００７５】
なお、制御線４７におけるグランド線１４７をアンテナとして用いれば、部品点数の増加を抑制することができる。
【００７６】
また、本実施の形態に係る照明器具１において、第２アンテナ部１４７ｃは、基台４１から離間している。
【００７７】
この構成によれば、図７に示すように、第２アンテナ部１４７ｃの放射強度が増化し、平均利得が向上するため、利得の向上による通信性能の向上を図ることができる。
【００７８】
また、本実施の形態に係る照明器具１において、第１アンテナ部４５ａは、地表面に対して略直交する方向（垂直面）に延在している。また、第２アンテナ部１４７ｃは、直線状である。そして、第２アンテナ部１４７ｃは、第１アンテナ部４５ａと略直交するように延在している。
【００７９】
この構成によれば、第１アンテナ部４５ａが垂直偏波を受送信し、第３制御線４７ｃの第２アンテナ部１４７ｃが水平偏波を受送信するため、異なる指向性を持ったこれらのアンテナにより利得が向上する。
【００８０】
なお、例えば、第１アンテナ部４５ａの長手方向と露出部４８の長手方向とを同一の方向（略平行）に並べた場合に、平均利得が低下することが判っているため、無線モジュール４５と露出部４８とを略直交するように配置する。
【００８１】
また、本実施の形態に係る照明器具１において、無線モジュール４５は、基台４１の表面側から裏面側を跨ぐように配置されている。また、基台４１には、制御線４７を挿通する第１挿通孔４１ａが形成されている。さらに、露出部４８の右端側は、第１挿通孔４１ａを介して制御部４３に電気的に接続している。露出部４８の左端側は、無線モジュール４５に電気的に接続している。
【００８２】
この構成によれば、基台４１に形成されている第２制御線４７ｂを挿通する第１挿通孔４１ａにより、第３制御線４７ｃの上側に基台４１が存在する。このため、第２アンテナ部１４７ｃの上方で基台４１が電波を反射させるため、指向性の低下を抑制することができる。
【００８３】
なお、第１挿通孔４１ａを挿通した第２制御線４７ｂにより、第３制御線４７ｃを基台４１に固定し易くなる。
【００８４】
また、本実施の形態に係る照明器具１において、基台４１には、さらに、制御線４７を挿通する第２挿通孔４１ｂが第１挿通孔４１ａと左右方向に並ぶように形成されている。そして、露出部４８の左端側は、第２挿通孔４１ｂを介して無線モジュール４５に電気的に接続している。
【００８５】
この構成によれば、第１挿通孔４１ａと第２挿通孔４１ｂとは、長孔の様に繋がっていない。このため、第２アンテナ部１４７ｃの上方で基台４１が電波を反射させるため、指向性の低下を抑制することができる。
【００８６】
なお、第１挿通孔４１ａを挿通した第２制御線４７ｂ及び第２挿通孔４１ｂを挿通した第４制御線４７ｄにより、第３制御線４７ｃを基台４１により固定し易くなる。
【００８７】
また、本実施の形態に係る照明器具１において、基台４１は、光源６２を実装している配線基板６１を支持している。また、基台４１の表面には、配線基板６１を収容するように凹む凹部４２が設けられている。そして、露出部４８は、光源６２と凹部４２を除く基台４１の表面とを結ぶ直線上に存在しない。
【００８８】
この構成によれば、露出部４８により光源６２からの光を妨げ難くなるため、ユーザに違和感を与え難い。露出部４８が光源６２と凹部４２を除く基台４１の表面とを結ぶ直線上に存在すると、露出部４８により影が出来てしまう恐れがある。しかし、この照明器具１では、露出部４８により影が生じ難い。
【００８９】
また、本実施の形態に係る照明器具１において、基台４１には、配線基板６１を収容するように凹む凹部４２が設けられている。露出部４８は、凹部４２内に配置されている。
【００９０】
この構成によれば、露出部４８により光源６２からの光を妨げ難くなるとともに、カバー部材３を介して露出部４８が視認し難くなるため、ユーザに違和感をより与え難い。
【００９１】
また、本実施の形態に係る照明器具１において、基台４１は、長尺である。そして、制御線４７は、基台４１に沿って延在している。
【００９２】
この構成によれば、制御線４７を基台４１に沿って配置することで、省スペース化を実現することができる。
【００９３】
（実施の形態の変形例１）
以下、実施の形態の変形例１に係る照明器具の構成について、図１３を用いて説明する。
【００９４】
図１３は、実施の形態の変形例１に係る照明器具のカバー部材を取り除いた状態の断面図である。図１３は、実施の形態の変形例１に係る照明器具において、図５のＩＶ−ＩＶ線と同様の状態の断面図である。
【００９５】
本実施の形態の変形例１が実施の形態と異なる点は、配線基板６１と基台４１との間にスペーサ６３が設けられている点である。他の構成においては、実施の形態における照明器具１の構成と同様であるため、その説明を省略する。
【００９６】
本実施の形態の変形例１では、スペーサ６３が発光モジュール６０と基台４１における凹部４２の底面から離間させるため、露出部４８が光源６２と凹部４２を除く基台４１の表面とを結ぶ直線上に存在し難くなる。
【００９７】
（実施の形態の変形例２）
以下、実施の形態の変形例２に係る照明システムの構成について、図１４を用いて説明する。
【００９８】
図１４は、実施の形態の変形例２に係る照明器具を用いた照明システムに係る模式図である。
【００９９】
図１４に示すように、照明システム１００は、複数の照明器具１と、端末装置１０１を備えている。実施の形態の変形例２では、４つの照明器具１が天井に設けられている。
【０１００】
端末装置１０１は、例えば、スマートフォン、専用のリモコン等の装置であり、複数の照明器具１を制御可能である。端末装置１０１の操作に従って、発光モジュール６０の点灯、消灯、調光（明るさの調整）、および調色（発光色（色温度）の調整）等の動作が行われる。なお、端末装置１０１を用いて、複数の照明器具１を個別に選択し、点灯、消灯、調光（明るさの調整）、および調色（発光色（色温度）の調整）等の動作が行われてもよい。
【０１０１】
（その他変形例等）
以上、本発明に係る照明器具及び照明システムについて、実施の形態及び実施の形態の変形例１、２に基づいて説明したが、本発明は、上記実施の形態及び実施の形態の変形例１、２に限定されるものではない。
【０１０２】
なお、本発明では、第１アンテナ部及び第２アンテナ部において、放射強度の優れた方の信号を優先的に用いるように制御してもよく、例えば、ＥＭＩ除去フィルタ等により信号品質を向上させるために受信した信号のノイズを除去してもよい。
【０１０３】
なお、本発明では、制御線は第１〜３制御線でもよい。つまり、第３制御線の右端は第２制御線と接続され、第３制御線の左端は無線モジュールと接続されていてもよい。この場合、基台に形成されている挿通孔は第１挿通孔だけでもよい。つまり、第２挿通孔は必須の構成要素ではない。
【０１０４】
なお、本発明では、照明器具の点灯、消灯および調光等の操作は、入力装置を通じて行われるが、壁に設置された操作パネルから操作が行われてもよい。このような場合、操作パネルと照明器具との間の信号のやり取りのための制御線が照明器具に接続される。
【０１０５】
また、本発明では、照明器具は、プログラム配信サーバとインターネットを通じて通信可能な照明器具であってもよい。照明器具は、複数の機能に対応するハードウェアと、ハードウェアを複数の機能に応じて動作させるための書き換え可能な記憶部とを備えていてもよい。照明器具が機能に応じて照明を行うためには、当該機能に対応する、ハードウェアを動作させるためのソフトウェア（プログラム）が記憶部に記憶されている。このソフトウェアは、予め記憶部に記憶されていてもよく、プログラム配信サーバから配信されるプログラムを受信して記憶されてもよい。プログラム配信サーバから配信されるプログラムを受信する場合、照明器具のユーザは、スマートフォンや、タブレット端末などの入力装置を用いて所望の機能（プログラム）を選択する。そうすると、選択されたプログラムがプログラム配信サーバから照明器具に配信され、配信されたプログラムは、照明器具内の記憶部に記憶される。これにより、ユーザは、配信されたプログラムに対応する照明器具の機能を利用することができる。
【０１０６】
その他、実施の形態及び実施の形態の変形例１、２に対して当業者が思いつく各種変形を施して得られる形態や、本発明の趣旨を逸脱しない範囲で実施の形態及び実施の形態の変形例１、２における構成要素及び機能を任意に組み合わせることで実現される形態も本発明に含まれる。
【符号の説明】
【０１０７】
１  照明器具
３  カバー部材
２１  筐体
４１  基台
４１ａ  第１挿通孔
４１ｂ  第２挿通孔
４２  凹部
４３  制御部
４５  第１アンテナ部
４７  制御線
４８  露出部
６０  発光モジュール
６１  配線基板
６２  光源
１００  照明システム
１０１  端末装置
１４７  グランド線
１４７ｃ  第２アンテナ部
【図１】
0006692048.tif 000002
【図２】
0006692048.tif 000003
【図３】
0006692048.tif 000004
【図４】
0006692048.tif 000005
【図５】
0006692048.tif 000006
【図６】
0006692048.tif 000007
【図７】
0006692048.tif 000008
【図８】
0006692048.tif 000009
【図９】
0006692048.tif 000010
【図１０】
0006692048.tif 000011
【図１１】
0006692048.tif 000012
【図１２】
0006692048.tif 000013
【図１３】
0006692048.tif 000014
【図１４】
0006692048.tif 000015